(57)【要約】【課題】  食品を入れた容器の隅にまで届くことにより、満足できる食品の混合や泡立てが可能な調理用泡立て器を提供する。【解決手段】  細長い柄と、前記柄の軸に垂直な軸周りに旋回動作可能に前記柄に接続される概して平面状の実効部とを含む調理用泡立て器。【選択図】図１
2004230150.tif 000002
【特許請求の範囲】
【請求項１】
細長い柄と、前記柄の軸に垂直な軸周りに旋回動作可能に前記柄に接続される概して平面状の実効部とを含むことを特徴とする調理用泡立て器。
【請求項２】
前記実効部は、複数の針金を含むことを特徴とする請求項１に記載の調理用泡立て器。
【請求項３】
前記実効部は、概して平面状の針金の環と、前記針金の環の周りに伸びる相対的に細い針金のコイルとを含むことを特徴とする請求項１に記載の調理用泡立て器。
【請求項４】
前記針金のコイルは、前記環の周りでの前記コイルの限定された動きを可能にするために、前記針金の環の周りにゆるく巻きつけられていることを特徴とする請求項３に記載の調理用泡立て器。
【請求項５】
前記針金の環には、前記軸旋回可能な接続がなされている横材が設けられていることを特徴とする請求項３に記載の調理用泡立て器。
【請求項６】
前記柄は、前記柄から伸びた１対の脚部で前記針金の環に接合されていることを特徴とする請求項３に記載の調理用泡立て器。
【請求項７】
前記脚部は、前記横材の周りに折り曲げられた折返し端部を含むことを特徴とする請求項６に記載の調理用泡立て器。
【請求項８】
前記横材には、前記脚部に対して前記針金の環が横方向に動くことを防止する突起が設けられていることを特徴とする請求項７に記載の調理用泡立て器。
【請求項９】
前記針金の環は、少なくとも１つの尖部を有する形状であることを特徴とする請求項３に記載の調理用泡立て器。
【請求項１０】
前記針金の環はハート形であることを特徴とする請求項３に記載の調理用泡立て器。
【請求項１１】
前記針金の環は楕円形であることを特徴とする請求項３に記載の調理用泡立て器。
【請求項１２】
前記針金の環は三角形であることを特徴とする請求項３に記載の調理用泡立て器。
【発明の詳細な説明】
【技術分野】
【０００１】
本発明は、調理用具、特に調理用泡立て器に関する。
【背景技術】
【０００２】
従来の調理用泡立て器は、多様な形状を取ることができ、最も一般的形状は、公知の風船型泡立て器である。そのような泡立て器は、通常、柄および実効部からなり、実効部は、概して風船のような形をなすように柄の軸周りに角度的に間隔を置いて配置された複数の金属線の環で形成されている。この型の調理用泡立て器のひとつの欠点は、それが相対的に大きいものであって、それらの環の下部がしばしば食品を入れた容器の隅に効果的に届くことができないために、それによる食品の混合や泡立てがしばしば満足ではないことである。他の欠点は、使用後に、柄に固定された針金の環をきれいにすることが難しいことである。されに別の欠点は、針金の風船の形が例えば引出しの中で大きな収納スペースを占領することである。
【発明の開示】
【発明が解決しようとする課題】
【０００３】
本発明は、これらの問題を扱う台所用品を提供するもので、少なくとも公衆に対して代替品を提供するものである。
【課題を解決するための手段】
【０００４】
本発明の第１の態様によると、細長い柄と、前記柄の軸に垂直な軸周りに旋回動作可能に前記柄に接続された概して平面状の実効部とを備えた調理用泡立て器が提供される。
【０００５】
好ましくは、前記実効部は、複数の針金を含んでもよい。前記実効部は、概して平面状の針金の環と、前記針金の環の周りに伸びる相対的に細い針金のコイルとを含んでもよい。前記針金のコイルは、前記環の周りでの前記コイルの限定された動きを可能にするために、前記針金の環の周りにゆるく巻きつけられてもよい。
【０００６】
前記針金の環には、前記環を軸旋回可能に前記柄に接続するための横材を設けてもよい。前記柄は、前記柄から伸びた１対の脚部で前記針金の環に接合されてもよい。特に、前記脚部は、前記横材の周りに折り曲げられた折返し端部を有してもよい。
【０００７】
前記横材には、前記脚部に対して針金の環が横方向に動くことを防止する突起が設けられていてもよい。
【０００８】
前記針金の環は、自在継手のような他の手法で前記柄に接続されてもよい。
【０００９】
前記横材および針金の環の台座(rest)は、前記針金の環を前記柄に接続するために、異なる平面上に配置されてもよい。代わりに、前記横材および針金の環の台座は、同じ平面上に配置されてもよい。
【００１０】
前記針金の環は、少なくとも１つの尖部を有する形状であってもよい。好ましくは、前記針金の環はハート形であってもよい。前記針金の環はまた楕円形であってもよい。前記針金の環はまた三角形であってもよい。
【発明を実施するための最良の形態】
【００１１】
本発明のいくつかの実施形態は、以下において添付図面を参照して例示として説明されるであろう。
【００１２】
図を参照すると、図１から図４は、本発明による調理用泡立て器の第１実施形態を示す。符号１で全体を示した調理用泡立て器は、円筒形の柄２および実効部４を含む。柄２には、上端に吊り下げフック６が設けられている。１対の脚部８はその下端から伸びている。柄２は実効部４に脚部８を介して接続されている。実効部４は、それによって泡立てる際に食品が効率的に含気するように、使用時に広い面積で食品と効果的に接するのに役立つ複数の針金の配置を含む。好ましい実施形態には、棒状の横材１２を有する堅い針金の主要な環１４が存在する。脚部８はそれぞれにその下端に、柄２の軸に対して概して垂直に伸びた横材１２を取り巻いて曲がった指部１０（折り返し端部）を有する。これにより泡立て器１の実効部４は横材１２の軸周りに旋回運動する。突起１６は、泡立て器１の実効部４と柄２との相対的な横方向の位置を制限するために、曲がった指部１０に隣接して横材１２上に設けられている。実効部４には、環１４の周りに螺旋を描き、少なくとも環１４の大部分に沿って、細い針金１８のコイルが設けられている。針金１８のコイルは、弾力を有するように十分に細く、針金の環に対してわずかに動くことができるようにゆるく組み立てられている。この実施形態に示されるように、実効部４の環１４は、１つの尖部２０および２つのまるい湾曲部２２を有する概してハート形である。
【００１３】
明確にするため、図３および４は、環１４に沿って螺旋を描く針金１８の長尺物を外した調理用泡立て器１を示す。図に示すように横材１２は、環１４の上側に接合するように溶接されて配置されている。
【００１４】
図１は、尖部２０が上に向いた構成の実効部４を有する調理用泡立て器１を示す。図２は、代わりに、尖った部分２０および湾曲部２２がともにおよそ同じ水平高さである平らな構成の実効部４を有する調理用泡立て器１を示す。これら２つの図が示すように、泡立て器１の実効部４は環１４に取り付けられた横材１２の軸周りに旋回することができる。これは、実効部の面がボウルの側面にならうことができるので、ボウルの中の食品を泡立てまたは打ち混ぜる際に特に有用である。
【００１５】
実効部の尖部２０の構成および旋回可能であることは、大皿鉢または他の容器の狭い隅に届くことを容易にする。
【００１６】
図５から７は、調理用泡立て器３０の第２実施形態を示す。調理用泡立て器３０は、実効部３２、厳密には針金の環が楕円形であることを除いて、調理用泡立て器１とおおむね同じである。
【００１７】
例えば、三角形の実効部が使用できるように、実効部の広く多様な他の形状および構造が使用できることが認識されるであろう。狭い隅に届くように細いまたは尖った形状の部分を有する形状が好ましい。また、実効部分の針金の環が閉じた環であってもよいが、開放部分を有する環であってもよいことも認識されるであろう。
【図面の簡単な説明】
【００１８】
【図１】本発明による第１実施形態の調理用泡立て器を示す斜視図である。
【図２】図１に示された調理用泡立て器の異なる配置を示す別の斜視図である。
【図３】針金の長尺物を取り外した、図１に示した調理用泡立て器の斜視図である。
【図４】図３の調理用泡立て器の側面図である。
【図５】本発明による第２実施形態の調理用泡立て器を示す斜視図である。
【図６】図５に示した調理用泡立て器の異なる配置を示す別の斜視図である。
【図７】針金の長尺物を取り外した、図５に示した調理用泡立て器の斜視図である。
【符号の説明】
【００１９】
１  調理用泡立て器
２  柄
４  実効部
８  脚部
１０  指部（折り返し端部）
１２  横材
１４  環
１６  突起
１８  針金
２０  尖部
２２  湾曲部
３０  調理用泡立て器
３２  実効部
【図１】
2004230150.tif 000003
【図２】
2004230150.tif 000004
【図３】
2004230150.tif 000005
【図４】
2004230150.tif 000006
【図５】
2004230150.tif 000007
【図６】
2004230150.tif 000008
【図７】
2004230150.tif 000009